(57)【要約】【課題】  階層構造でコンテンツデータが管理されている場合に、実行中の処理に対応する階層に対して上位２階層以上の階層の検索画面を表示する場合に、その後のユーザの検索操作を簡単にできるデータ処理方法を提供する。【解決手段】  楽曲データを再生中にＳＥＲＣＨ／ＭＥＮＵキーが短押しされると、最上位階層の選曲画面Ｄ１１を表示し、当該選曲画面内で再生中の楽曲データが属するジャンルにカーソルＣＵＲを位置させる。【選択図】  図８
2006285895.tif 000002
【特許請求の範囲】
【請求項１】
コンテンツデータが持つ複数の属性の各々について、前記コンテンツデータを分類するための複数の分類項目が規定され、前記属性および前記分類項目を基に前記コンテンツデータを検索するための検索画面を表示するデータ処理方法であって、
前記属性および前記分類項目を階層構造で規定し、最下位の階層に対応付けられた前記コンテンツデータが、当該最下位の階層の上位の階層の属性に規定された前記複数の分類項目のうち当該最下位の階層に対応する前記分類項目を継承している場合に、
上位２階層以上の階層に移動する移動指示を受けたか否かを判断する第１の工程と、
前記第１の工程で前記移動指示を受けたと判断したことを条件に、前記移動指示を受けたタイミングで実行中の処理に対応する前記階層に対して上位２階層以上の階層の前記属性を特定し、当該特定した属性に規定された複数の前記分類項目のうち、前記処理中の階層に対応する前記分類項目を特定し、前記上位２階層以上の階層における前記検索画面を、前記特定した分類項目を指定した状態で表示する第２の工程と
を有するデータ処理方法。
【請求項２】
前記第２の工程は、前記移動指示を受けたタイミングで再生中の前記コンテンツデータが対応付けられた前記最下位の階層、あるいは、表示中の検索画面が対応付けられた階層に対して上位２階層以上の階層の前記属性を前記特定する
請求項１に記載のデータ処理方法。
【請求項３】
前記検索画面を表示中であるか否かを示す第３の工程と、
前記コンテンツデータを再生中であるか否かを判断する第４の工程と
をさらに有し、
前記第２の工程で、前記第１の工程で前記移動指示を受けたと判断し、前記第３の工程で前記検索画面を表示中ではないと判断し、且つ、前記第４の工程で前記コンテンツデータを再生中であると判断したことを条件に、再生中の前記コンテンツデータが対応付けられた前記最下位の階層に対して上位２階層以上の階層の前記属性を前記特定する
請求項１に記載のデータ処理方法。
【請求項４】
前記検索画面を表示中であるか否かを示す第３の工程
をさらに有し、
前記第２の工程で、前記第１の工程で前記移動指示を受けたと判断し、且つ、前記第３の工程で前記検索画面を表示中であると判断したことを条件に、表示中の検索画面の階層に対して上位２階層以上の階層の前記属性を前記特定する
請求項１に記載のデータ処理方法。
【請求項５】
前記第２の工程は、前記階層構造の最上位の階層の前記検索画面を、前記上位２階層以上の階層における前記検索画面として表示する
請求項１に記載のデータ処理方法。
【請求項６】
前記検索画面内に表示した前記複数の分類項目のうち一つの前記分類項目が指定操作で指定されている状態で選択操作を受けると、当該指定された前記分類項目に属する前記コンテンツデータを選択させるために用いられ、前記表示中の検索画面の１つ下層の前記検索画面を表示する第５の工程
をさらに有する請求項１に記載のデータ処理方法。
【請求項７】
前記第５の工程は、前記１つ前記検索画面を、再生中のコンテンツデータが属する分類項目、あるいは、前回の検索で選択した分類項目を指定した状態で表示する
請求項６に記載のデータ処理方法。
【請求項８】
前記第２の工程は、前記特定した分類項目にカーソルを位置させて、前記分類項目の指定を行う
請求項１に記載のデータ処理方法。
【請求項９】
前記検索画面内で前記指定された分類項目の下層に割り当てられた複数の分類項目をシャッフルパターンで順に選択し、当該選択した分類項目に属する前記コンテンツデータを予め決められた順に再生するシャッフル処理を行う第６の工程
をさらに有する請求項１に記載のデータ処理方法。
【請求項１０】
コンテンツデータが持つ複数の属性の各々について、前記コンテンツデータを分類するための複数の分類項目が規定され、前記属性および前記分類項目を基に前記コンテンツデータを検索するための検索画面を表示する電子機器であって、
前記属性および前記分類項目を階層構造で規定し、最下位の階層に対応付けられた前記コンテンツデータが、当該最下位の階層の上位の階層の属性に規定された前記複数の分類項目のうち当該最下位の階層に対応する前記分類項目を継承している場合に、
複数のコンテンツデータを記憶する記録媒体と、
ディスプレイと、
操作手段と、
上位２階層以上の階層に移動する移動指示を前記操作手段から受けたと判断したことを条件に、前記移動指示を受けたタイミングで実行中の処理に対応する前記階層に対して上位２階層以上の階層の前記属性を特定し、当該特定した属性に規定された複数の前記分類項目のうち、前記処理中の階層に対応する前記分類項目を特定し、前記上位２階層以上の階層における前記検索画面を、前記特定した分類項目を指定した状態で表示する処理手段と
を有する電子機器。
【請求項１１】
コンテンツデータが持つ複数の属性の各々について、前記コンテンツデータを分類するための複数の分類項目が規定され、前記属性および前記分類項目を基に前記コンテンツデータを検索するための検索画面を表示するデータ処理装置が実行するプログラムであって、
前記属性および前記分類項目を階層構造で規定し、最下位の階層に対応付けられた前記コンテンツデータが、当該最下位の階層の上位の階層の属性に規定された前記複数の分類項目のうち当該最下位の階層に対応する前記分類項目を継承している場合に、
上位２階層以上の階層に移動する移動指示を受けたか否かを判断する第１の手順と、
前記第１の手順で前記移動指示を受けたと判断したことを条件に、前記移動指示を受けたタイミングで実行中の処理に対応する前記階層に対して上位２階層以上の階層の前記属性を特定し、当該特定した属性に規定された複数の前記分類項目のうち、前記処理中の階層に対応する前記分類項目を特定し、前記上位２階層以上の階層における前記検索画面を、前記特定した分類項目を指定した状態で表示する第２の手順と
を有するプログラム。
【請求項１２】
コンテンツデータが持つ複数の属性の各々について、前記コンテンツデータを分類するための複数の分類項目が規定され、前記属性および前記分類項目を基に前記コンテンツデータを検索するための検索画面を表示するデータ処理方法であって、
前記属性および前記分類項目を階層構造で規定し、最下位の階層に対応付けられた前記コンテンツデータが、当該最下位の階層の上位の階層の属性に規定された前記複数の分類項目のうち当該最下位の階層に対応する前記分類項目を継承している場合に、
前記階層構造に応じた処理を実行中に、階層移動指示を受けると、前記実行中の処理に対応した階層とは異なる階層の前記検索画面を、当該異なる階層の属性に規定された複数の前記分類項目のうち、前記実行中の処理に対応した前記階層に対応する前記分類項目を指定した状態で表示する工程
を有するデータ処理方法。
【請求項１３】
複数の属性が割り当てられたコンテンツデータを再生中に前記複数の属性のうち所定の前記属性に応じた検索画面を表示する指示を入力したか否かを判断する第１の工程と、
前記第１の工程で前記入力したと判断すると、前記所定の属性について規定された複数の分類項目のうち、前記再生中のコンテンツデータに割り当てられた前記属性の分類項目を指定した状態で前記所定の属性に応じた検索画面を表示する第２の工程と
を有するデータ処理方法。
【請求項１４】
再生中の前記コンテンツデータが切り換ると、当該切り換った後の前記コンテンツデータの属性の分類項目を指定した状態で前記所定の属性に応じた検索画面を表示する第３の工程
をさらに有する請求項１３に記載のデータ処理方法。
【請求項１５】
コンテンツデータが持つ複数の属性の各々について、前記コンテンツデータを分類するための複数の分類項目が規定され、前記属性および前記分類項目を基に前記コンテンツデータを検索するための検索画面を表示する電子機器であって、
複数のコンテンツデータを記憶する記録媒体と、
ディスプレイと、
操作手段と、
前記記録媒体から読み出した前記コンテンツデータを再生中に前記複数の属性のうち所定の前記属性に応じた検索画面を表示する指示を前記操作手段により入力したと判断すると、前記所定の属性について規定された複数の分類項目のうち、前記再生中のコンテンツデータに割り当てられた前記属性の分類項目を指定した状態で前記所定の属性に応じた検索画面を前記ディスプレイに表示する処理手段と
を有する電子機器。
【発明の詳細な説明】
【技術分野】
【０００１】
本発明は、コンテンツデータの検索画面を表示するデータ処理方法、電子機器およびプログラムに関する。
【背景技術】
【０００２】
近年、ＨＤＤ(Hard Disk Drive)などの記録メディアの大容量化、小型化、並びに音楽、動画、静止画などのコンテンツデータの圧縮技術の発達により、携帯型再生装置やパーソナルコンピュータなどの電子機器内の記録メディアに膨大な数のコンテンツデータを記憶できる。
このような電子機器は、例えば、ジャンルやアルバムなどのコンテンツデータ（楽曲データ）が持つ複数の属性の各々について、当該コンテンツデータを分類するための複数の分類項目（ジャンル名やアルバム名等）を規定し、上記属性および上記分類項目を基に規定した階層構造に従って、上記コンテンツデータを検索するための検索画面を表示する。
当該電子機器では、例えば、所定のコンテンツデータを再生してその再生画面を表示中に、上位２階層以上の検索画面に移動する移動指示を受けると、移動後の検索画面において、複数の分類項目のうち予め固定的に決められた分類項目にカーソルを表示する（分類項目を指定する）。
【特許文献１】特開２００１−７６４１５号公報
【発明の開示】
【発明が解決しようとする課題】
【０００３】
ところで、上述した電子機器では、上位２階層以上の検索画面に遷移した後に、ユーザは、再生中のコンテンツデータが、当該遷移後の検索画面が示す複数の分類項目のいずれに属しているかを判断できず、検索効率が悪いという問題がある。
同様の問題は、検索画面を表示中に、上位２階層以上の検索画面に遷移した場合にも生じる。
【０００４】
本発明は上述した従来技術の問題点を解決するために、階層構造でコンテンツデータが管理されている場合に、実行中の処理に対応する階層に対して上位２階層以上の階層の検索画面を表示する場合に、その後のユーザの検索操作を簡単にできるデータ処理方法、電子機器およびプログラムを提供することを目的とする。
【課題を解決するための手段】
【０００５】
上述した従来技術の問題点を解決し、上述した目的を達成するため、第１の観点の発明のデータ処理方法は、コンテンツデータが持つ複数の属性の各々について、前記コンテンツデータを分類するための複数の分類項目が規定され、前記属性および前記分類項目を基に前記コンテンツデータを検索するための検索画面を表示するデータ処理方法であって、前記属性および前記分類項目を階層構造で規定し、最下位の階層に対応付けられた前記コンテンツデータが、当該最下位の階層の上位の階層の属性に規定された前記複数の分類項目のうち当該最下位の階層に対応する前記分類項目を継承している場合に、上位２階層以上の階層に移動する移動指示を受けたか否かを判断する第１の工程と、前記第１の工程で前記移動指示を受けたと判断したことを条件に、前記移動指示を受けたタイミングで実行中の処理に対応する前記階層に対して上位２階層以上の階層の前記属性を特定し、当該特定した属性に規定された複数の前記分類項目のうち、前記処理中の階層に対応する前記分類項目を特定し、前記上位２階層以上の階層における前記検索画面を、前記特定した分類項目を指定した状態で表示する第２の工程とを有する。
【０００６】
第２の観点の発明の電子機器は、コンテンツデータが持つ複数の属性の各々について、前記コンテンツデータを分類するための複数の分類項目が規定され、前記属性および前記分類項目を基に前記コンテンツデータを検索するための検索画面を表示する電子機器であって、前記属性および前記分類項目を階層構造で規定し、最下位の階層に対応付けられた前記コンテンツデータが、当該最下位の階層の上位の階層の属性に規定された前記複数の分類項目のうち当該最下位の階層に対応する前記分類項目を継承している場合に、複数のコンテンツデータを記憶する記録媒体と、ディスプレイと、操作手段と、上位２階層以上の階層に移動する移動指示を前記操作手段から受けたと判断したことを条件に、前記移動指示を受けたタイミングで実行中の処理に対応する前記階層に対して上位２階層以上の階層の前記属性を特定し、当該特定した属性に規定された複数の前記分類項目のうち、前記処理中の階層に対応する前記分類項目を特定し、前記上位２階層以上の階層における前記検索画面を、前記特定した分類項目を指定した状態で表示する処理手段とを有する。
【０００７】
第２の観点の発明の電子機器の作用は以下のようになる。
処理手段が、上位２階層以上の階層に移動する移動指示を操作手段から受ける。
次に、前記処理手段が、前記移動指示を受けたタイミングで実行中の処理に対応する前記階層に対して上位２階層以上の階層の前記属性を特定し、当該特定した属性に規定された複数の前記分類項目のうち、前記処理中の階層に対応する前記分類項目を特定する。
次に、前記処理手段が、前記上位２階層以上の階層における前記検索画面を、前記特定した分類項目を指定した状態で表示する。
【０００８】
第３の観点の発明のプログラムは、コンテンツデータが持つ複数の属性の各々について、前記コンテンツデータを分類するための複数の分類項目が規定され、前記属性および前記分類項目を基に前記コンテンツデータを検索するための検索画面を表示するデータ処理装置が実行するプログラムであって、前記属性および前記分類項目を階層構造で規定し、最下位の階層に対応付けられた前記コンテンツデータが、当該最下位の階層の上位の階層の属性に規定された前記複数の分類項目のうち当該最下位の階層に対応する前記分類項目を継承している場合に、上位２階層以上の階層に移動する移動指示を受けたか否かを判断する第１の手順と、前記第１の手順で前記移動指示を受けたと判断したことを条件に、前記移動指示を受けたタイミングで実行中の処理に対応する前記階層に対して上位２階層以上の階層の前記属性を特定し、当該特定した属性に規定された複数の前記分類項目のうち、前記処理中の階層に対応する前記分類項目を特定し、前記上位２階層以上の階層における前記検索画面を、前記特定した分類項目を指定した状態で表示する第２の手順とを有する。
【０００９】
第４の観点の発明のデータ処理方法は、コンテンツデータが持つ複数の属性の各々について、前記コンテンツデータを分類するための複数の分類項目が規定され、前記属性および前記分類項目を基に前記コンテンツデータを検索するための検索画面を表示するデータ処理方法であって、前記属性および前記分類項目を階層構造で規定し、最下位の階層に対応付けられた前記コンテンツデータが、当該最下位の階層の上位の階層の属性に規定された前記複数の分類項目のうち当該最下位の階層に対応する前記分類項目を継承している場合に、前記階層構造に応じた処理を実行中に、階層移動指示を受けると、前記実行中の処理に対応した階層とは異なる階層の前記検索画面を、当該異なる階層の属性に規定された複数の前記分類項目のうち、前記実行中の処理に対応した前記階層に対応する前記分類項目を指定した状態で表示する工程を有する。
【００１０】
第５の観点の発明のデータ処理方法は、複数の属性が割り当てられたコンテンツデータを再生中に前記複数の属性のうち所定の前記属性に応じた検索画面を表示する指示を入力したか否かを判断する第１の工程と、前記第１の工程で前記入力したと判断すると、前記所定の属性について規定された複数の分類項目のうち、前記再生中のコンテンツデータに割り当てられた前記属性の分類項目を指定した状態で前記所定の属性に応じた検索画面を表示する第２の工程とを有する。
【００１１】
第６の観点の発明の電子機器は、コンテンツデータが持つ複数の属性の各々について、前記コンテンツデータを分類するための複数の分類項目が規定され、前記属性および前記分類項目を基に前記コンテンツデータを検索するための検索画面を表示する電子機器であって、複数のコンテンツデータを記憶する記録媒体と、ディスプレイと、操作手段と、前記記録媒体から読み出した前記コンテンツデータを再生中に前記複数の属性のうち所定の前記属性に応じた検索画面を表示する指示を前記操作手段により入力したと判断すると、前記所定の属性について規定された複数の分類項目のうち、前記再生中のコンテンツデータに割り当てられた前記属性の分類項目を指定した状態で前記所定の属性に応じた検索画面を前記ディスプレイに表示する処理手段とを有する。
【発明の効果】
【００１２】
本発明によれば、階層構造でコンテンツデータが管理されている場合に、実行中の処理に対応する階層に対して上位２階層以上の階層の検索画面を表示する場合に、その後のユーザの検索操作を簡単にできるデータ処理方法、電子機器およびプログラムを提供することができる。
【発明を実施するための最良の形態】
【００１３】
以下、本発明の実施形態を説明する。
＜第１実施形態＞
先ず、本実施形態の構成要素と、本発明の構成要素との対応関係を説明する。
図１に示すプログラムＰＲＧが第３の観点の発明のプログラムの一例に対応している。
また、ＨＤＤ１３に記憶されている楽曲データが、本発明のコンテンツデータの一例に対応している。
また、図５等に示すジャンル、アーティスト、アルバム、曲、プレイリスト等が本発明の属性の一例に対応し、図７および図８に示す選曲画面Ｄ１１に表示する分類項目が本発明の分類項目の一例に対応している。
また、本実施形態の選曲画面Ｄ１１等が本発明の検索画面に対応している。
また、図１０に示すステップＳＴ２１が第１の観点の発明の第１の工程、並びに第３の観点の発明の第１の手順の一例に対応している。
また、図１０に示すステップＳＴ２５が第１の観点の発明の第２の工程、並びに第３の観点の発明の第２の手順の一例に対応している。
また、図１０に示すステップＳＴ２２が、第１の観点の発明の第３の工程に対応し、図１０に示すステップＳＴ２４が第１の観点の発明の第４の工程の一例に対応している。
また、図１に示すＨＤＤ１３が本発明の記録媒体の一例に対応し、ＬＣＤパネル１４が本発明のディスプレイの一例に対応し、入力デバイス１５が本発明の操作手段に対応し、ＣＰＵ１７が本発明の処理手段の一例に対応している。
また、選曲画面Ｄ１上での上、下、右、左十字決定キー２７ａ，ｂ，ｃ，ｄを用いたカーソル移動（位置）によって、本発明の分類項目の指定操作の一例が行われる。
また、ＳＥＲＣＨ／ＭＥＮＵキー２８の短押しによって、本発明の２階層以上の階層に移動する一例の動作が行われる。
【００１４】
以下、本発明の実施形態に係わるデータ処理装置について説明する。
図１は、本発明の実施形態に係わるデータ処理装置１の構成図である。
データ処理装置１は、例えば、携帯型のオーディオ再生装置である。
図１に示すように、データ処理装置１は、例えば、ＵＳＢ(Universal Serial Bus)インタフェース１１、ＳＤＲＡＭ(Synchronous DRAM)１２、ＨＤＤ(Hard Disk Drive) １３、ＬＣＤ(Liquid Crystal Display)パネル１４、入力デバイス１５、フラッシュメモリ１６、ＣＰＵ(Central Processing Unit) １７およびオーディオ出力回路１８を有する。
ＵＳＢインタフェース１１、ＳＤＲＡＭ１２、ＨＤＤ１３、フラッシュメモリ１６、ＣＰＵ１７およびオーディオ出力回路１８は、例えば、データ線１０を介して接続されている。
【００１５】
ＵＳＢインタフェース１１は、パーソナルコンピュータ３と接続され、パーソナルコンピュータ３との間でデータ入出力を行う。
ＳＤＲＡＭ１２は、ＣＰＵ１７の処理に係わるデータ等を一時的に記憶する。
【００１６】
ＨＤＤ１３は、圧縮された楽曲データ（音楽データ）を記憶する。
当該楽曲データは、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ(Adaptive Transform Acoustic Coding)３等で圧縮された約１００００曲（コンパクトディスク７００枚分）の楽曲データを記憶可能である。
ＨＤＤ１３に記憶された１曲分の楽曲データ（以下、単に楽曲データとも記す）の各々には、そのジャンル、アーティスト、アルバム、曲名、プレイリストなどの属性（属性データ）が付されている。
ジャンル属性は、楽曲データの楽曲が属するジャンルを示している。
ア−ティスト属性は、楽曲データの楽曲を演奏等するアーティストを示している。
アルバム属性は、楽曲データが属するアルバムを示している。
曲名属性は、楽曲データの曲名を示している。
プレイリストは、ユーザが決めた楽曲データの群を示している。
【００１７】
ＬＣＤパネル１４は、図２（Ｂ）に示すように、データ処理装置１の筐体の正面に設けられている。
ＬＣＤパネル１４には、ＣＰＵ１７によって種々の画面が表示される。
ＬＣＤパネル１４に表示される主な画面としては、例えば、図３に示すように、メイン画面Ｄ０、選曲画面Ｄ１、設定画面Ｄ２および再生画面Ｄ３があり、ユーザのキー操作に応じてこれらの画面が切り替わる（遷移する）。
【００１８】
メイン画面Ｄ０は、例えば、図４に示すように、曲検索（選曲）、編集、各種設定、再生画面表示などの項目を表示し、ユーザが項目を選択することで、当該選択された項目に対応付けられた画面が表示される。
選曲画面Ｄ１は、例えば、メイン画面Ｄ０において曲検索の項目が選択された場合に表示され、最上位階層の選曲画面である。
選曲画面Ｄ１は、例えば、図４に示すように、ジャンル、アーティスト、アルバム、曲、曲名検索、プレイリストなどの分類項目を表示する。当該分類項目が選択された場合の処理は後に詳細に説明する。
【００１９】
設定画面Ｄ２は、メイン画面Ｄ０において各種設定の項目が選択された場合に表示される。
設定画面Ｄ２は、リピート、ユニットおよび再生（プレイ）モードなどの項目を表示する。
リピートの項目は、ユーザの操作に応じてリピート再生機能をオンあるいはオフに設定するために用いられる。
ユニットの項目は、ユーザの操作に応じてユニット再生機能をオンあるいはオフに設定するために用いられる。
再生モードは、ユーザの操作に応じて、通常再生、１曲再生、曲シャッフル、マルチシャッフルを設定するために用いられる。
【００２０】
再生画面Ｄ３は、選曲画面Ｄ１を基にユーザが選曲した楽曲データを再生中に表示される画面であり、図４に示すように、再生中の楽曲データのタイトル、アルバム、アーティスト、ジャンルなどの情報を表示する。
【００２１】
図１に示す入力デバイス１５は、データ処理装置１の筐体に設けられ、ユーザによって操作される種々のキーである。
入力デバイス１５としては、例えば、図２（Ａ），図２（Ｂ），図２（Ｃ）に示すように、リモコン端子２９、ＶＯＬＵＭＥキー２６ａ，２６ｂ、十字キー２７、ＳＥＲＣＨ／ＭＥＮＵキー２８、ＳＴＯＰキー２９およびＨＯＬＤキー３０がある。
【００２２】
ＶＯＬＵＭＥキー２６ａ，２６ｂは、音量をアップ、ダウンするために用いられる。
十字キー２７には、十字右キー２７ａ，十字左キー２７ｂ、十字上キー２７ｃ、十字下キー２７ｄおよび十字決定キー２７ｅがある。
十字右キー２７ａおよび十字左キー２７ｂは、例えば、後述するように、選曲画面Ｄ１の階層を切り換える際に用いられる。また、曲の頭出しや早送り／早戻しにも用いられる。
十字上キー２７ｃおよび十字下キー２７ｄは、選曲画面Ｄ１および設定画面Ｄ２上でカーソルを上下方向に移動させるために用いられる。
十字決定キー２７ｅは、カーソルが位置する分類項目を選択（決定）したり、再生指示を入力するために用いられる。
【００２３】
ＳＥＲＣＨ／ＭＥＮＵキー２８は、例えば、短押しにより第１階層の選曲画面Ｄ１を表示する指示を入力ために用いられ、長押しによりメニュー画面を表示する指示を入力するために用いられる。
なお、本実施形態では、ＳＥＲＣＨ／ＭＥＮＵキー２８の短押しによる第１階層の選曲画面Ｄ１への遷移を、本発明の「上位２階層以上の階層への移動」の一例として説明する。
【００２４】
フラッシュメモリ１６は、例えば、ＣＰＵ１７の動作を規定したプログラムＰＲＧを記憶する。
ＣＰＵ１７は、フラッシュメモリ１６から読み出したプログラムＰＲＧを基に、データ処理装置１の動作を統括的に制御する、すなわち本実施形態で説明する処理を行う。
ＣＰＵ１７は、図４に示すメイン画面Ｄ０、選曲画面Ｄ１、設定画面Ｄ２および再生画面Ｄ３をＬＣＤパネル１４に表示する処理を行う。
また、ＣＰＵ１７は、選択された楽曲データをＨＤＤ１３から読み出して復号し、これを再生する処理を行う。
【００２５】
オーディオ出力回路１８は、ＣＰＵ１７が復号した楽曲データに応じたオーディオ信号をヘッドフォン端子２１に出力する。
【００２６】
以下、図４に示す選曲画面Ｄ１について説明する。
選曲画面Ｄ１として、複数の異なる属性（楽曲データに関しての属性）の各々について規定され、当該属性について規定された複数の分類項目を表示して選択させる第１階層の複数の選曲画面Ｄ０１が規定されている。
また、選曲画面Ｄ１として、上記第１階層の選曲画面の各々について、第２階層以下の選曲画面が規定されている。
第２階層以下の選曲画面は、その上層の選曲画面の各分類項目毎に規定され、当該分類項目に対応した前記属性以外の前記属性を基に、当該分類項目に属する楽曲データを分類するための複数の分類項目を有する。
【００２７】
図５は、選曲画面Ｄ１の階層構造を説明するための図である。
図５に示すように、第１階層（最上位階層）として、図４に示す選曲画面Ｄ１の各分類項目（ジャンル、アーティスト、アルバム、曲、曲名検索、プレイリスト）が規定される。
また、第１階層のジャンルの下層の第２階層としてジャンル一覧が規定され、その下層の第３階層としてアーティスト一覧が規定され、その下層の第４階層としてアルバム一覧が規定され、その下層の第５階層（最下位階層）として曲一覧が規定されている。
【００２８】
また、第１階層のアーティストの下層の第２階層としてアーティスト一覧が規定され、その下層の第３階層としてアルバム一覧が規定され、その下層の第４階層（最下位階層）として曲一覧が規定されている。
また、第１階層のアルバムの下層の第２階層としてアルバム一覧が規定され、その下層の第３階層（最下位階層）として曲一覧が規定されている。
また、第１階層の曲および曲名検索の下層の第２階層としてそれぞれ曲一覧が規定されている。
また、第１階層のプレイリストの下層の第２の階層としてプレイリスト一覧が規定され、その下層の第３階層（最下位階層）として曲一覧が規定されている。
【００２９】
図５に示す階層構造では、上述したように、異なる階層間で相互に異なる前記属性が割り当てられ、各階層において、当該階層に割り当てられた前記属性を基に楽曲データを分類するための複数の分類項目が規定され、各階層に規定された複数の分類項目が、当該階層の上位の階層内の対応する分類項目の前記属性を継承している。
【００３０】
ＣＰＵ１７は、十字キー２７およびＳＥＲＣＨ／ＭＥＮＵキー２８を用いたユーザの操作に応じて、図５に示す階層構造に従って状態遷移を行い、遷移後の状態に対応付けられた階層の選曲画面をＬＣＤパネル１４に表示する。
【００３１】
図６および図７は、図５に示す各階層の選曲画面Ｄ１を説明するための図である。
先ず、ユーザが、図２に示すＳＥＲＣＨ／ＭＥＮＵキー２８を短押しすると、ＣＰＵ１７は、図６に示す第１階層（最上位階層）の選曲画面Ｄ０１（Ｄ１）をＬＣＤパネル１４に表示する。
【００３２】
本実施形態において、図６および図７等に示す選曲画面の遷移は、例えば、ユーザが図２に示す十字上キー２７ｃおよび十字下キー２７ｄを操作して選曲画面内でカーソルを上下して分類項目を指定した後に、十字右キー２７ａを押下して選択することで実現される。
図６に示す選曲画面Ｄ０１においてジャンルが選択されると、ＣＰＵ１７は、ジャンル一覧を示す選曲画面Ｄ１１をＬＣＤパネル１４に表示する。
選曲画面Ｄ１１には、予め決められた複数のジャンルＡ，Ｂ，Ｃ，Ｄが分類項目として表示される。
また、図７に示すように、選曲画面Ｄ１１において、ジャンルの分類項目が選択されると、ＣＰＵ１７は、当該選択されたジャンルに属するアーティストの一覧を示す選曲画面Ｄ２１をＬＣＤパネル１４に表示する。
また、図７に示すよう、選曲画面Ｄ２１において、アーティストの分類項目が選択されると、ＣＰＵ１７は、当該選択されたアーティストに属するアルバムの一覧を示す選曲画面Ｄ３１をＬＣＤパネル１４に表示する。
また、図７に示すよう、選曲画面Ｄ３１において、アルバムの分類項目が選択されると、ＣＰＵ１７は、当該選択されたアルバムに属する楽曲名（曲名）の一覧を示す選曲画面Ｄ４１をＬＣＤパネル１４に表示する。
【００３３】
また、図６に示す選曲画面Ｄ０１においてアーティストの分類項目が選択されると、ＣＰＵ１７は、アーティスト一覧を示す選曲画面Ｄ１２をＬＣＤパネル１４に表示する。
選曲画面Ｄ１２には、ＨＤＤ１３に記憶されている全ての楽曲データのアーティスト名Ａ，Ｂ，Ｃ，Ｄが分類項目として表示される。
また、図７に示すよう、選曲画面Ｄ１２において、アーティストの分類項目が選択されると、ＣＰＵ１７は、当該選択されたアーティストに属するアルバムの一覧を示す選曲画面Ｄ２２をＬＣＤパネル１４に表示する。
また、図７に示すよう、選曲画面Ｄ２２において、アルバムの分類項目が選択されると、ＣＰＵ１７は、当該選択されたアルバムに属する楽曲名（曲名）の一覧を示す選曲画面Ｄ３２をＬＣＤパネル１４に表示する。
【００３４】
また、図６に示す選曲画面Ｄ０１においてアルバムが選択されると、ＣＰＵ１７は、アルバム一覧を示す選曲画面Ｄ１３をＬＣＤパネル１４に表示する。
選曲画面Ｄ１３には、ＨＤＤ１３に記憶されている全ての楽曲データのアルバム名Ａ，Ｂ，Ｃ，Ｄが分類項目として表示される。
また、図７に示すよう、選曲画面Ｄ１３において、アルバムの分類項目が選択されると、ＣＰＵ１７は、当該選択されたアルバムに属する楽曲名（曲名）の一覧を示す選曲画面Ｄ２３をＬＣＤパネル１４に表示する。
【００３５】
また、図６に示す選曲画面Ｄ０１においてプレイリストが選択されると、ＣＰＵ１７は、プレイリスト一覧を示す選曲画面Ｄ１４をＬＣＤパネル１４に表示する。
選曲画面Ｄ１４には、ユーザが指定したプレイリストＡ，Ｂ，Ｃ，Ｄが分類項目として表示される。
また、図６に示す選曲画面Ｄ１４においてプレイリストの項目が選択されると、ＣＰＵ１７は、当該選択されたプレイリストに属する楽曲名（曲名）の一覧を示す選曲画面Ｄ２４をＬＣＤパネル１４に表示する。
【００３６】
また、ＣＰＵ１７は、曲一覧を示す選曲画面Ｄ４１，Ｄ３２，Ｄ２３，Ｄ２４において、曲が選択されると、当該選択された曲の楽曲データをＨＤＤ１３から読み出して再生処理し、オーディオ出力回路１８に出力する。
【００３７】
本実施形態では、図８に示すように、ＣＰＵ１７は、楽曲データを再生中に再生画面Ｄ３をＬＣＤパネル１４に表示し、その間に、ＳＥＲＣＨ／ＭＥＮＵキー２８が短押しされたことを検出すると、最上位階層の選曲画面Ｄ１１に遷移し、当該再生中の楽曲データが属するジャンル（ジャンルＣ）にカーソルＣＵＲを位置させる。
これにより、ユーザは、現在再生している楽曲データのジャンルを特定でき、そのジャンルを基に新たに楽曲データを検索できる。
【００３８】
以下、図４に示す設定画面Ｄ２によって設定（選択）されるユニットについて説明する。
ＣＰＵ１７は、例えば、図５〜図７を用いて説明した各階層の選曲画面Ｄ１をＬＣＤパネル１４に表示中に、図２に示す十字決定キー２７ｅが押下された場合に、当該表示中の選曲画面Ｄ１内でカーソルが位置する項目に属する１つ下層の項目をユニットとして決定する。
本実施形態では、ユニットを単位とした再生を行うか否かを、図４に示す設定画面Ｄ２内のユニットの項目を用いてユーザが設定する。
ＣＰＵ１７は、ユニット単位の再生が指定されている場合に、上記決定したユニット内の分類項目をシャッフルパターンで選択し、当該選択した分類項目内の楽曲データを、予め決められたパターン（固定的に決められたパターンあるいはシャッフルパターン）で選択して再生する。
【００３９】
以下、本実施形態のデータ処理装置１の動作例を、図１に示すＣＰＵ１７の処理と関連付けて説明する。
［選曲画面Ｄ１の遷移動作］
当該動作例では、ＬＣＤパネル１４に選曲画面Ｄ１が表示されているときに、図２（Ｂ）に示す十字右キー２７ａあるいは十字左キー２７ｂが押圧（操作）された場合を説明する。
図９は、当該動作例を説明するためのフローチャートである。
ステップＳＴ１１：
ＣＰＵ１７は、図１に示す入力デバイス１５からの操作信号を基に、図２（Ｂ）に示す十字右キー２７ａが押下されたと判断すると、ステップＳＴ１２に進み、そうでない場合はステップＳＴ１４に進む。
ステップＳＴ１２：
ＣＰＵ１７は、表示中の選曲画面Ｄ１内のカーソルが位置する分類項目に対応した下層の選曲画面Ｄ１があるか否かを判断し、あると判断するとステップＳＴ１３に進み、ないと判断するとステップＳＴ１４に進む。
ステップＳＴ１３：
ＣＰＵ１７は、表示中の選曲画面Ｄ１内のカーソルが位置する分類項目に対応した１つ下層の選曲画面Ｄ１をＬＣＤパネル１４に表示する。
ＣＰＵ１７は、上記１つ下層の選曲画面Ｄ１において、例えば、コンテンツデータを再生中の場合には、再生中のコンテンツデータが属する分類項目上にカーソルを位置させる。
また、ＣＰＵ１７は、例えば、上記１つ下層の選曲画面Ｄ１において、前回の検索で選択した分類項目を指定した状態で表示してもよい。
また、ＣＰＵ１７は、上述したカーソルがＬ位置する分類項目を、選曲画面Ｄ１内の一番上に表示してもよい。
【００４０】
ステップＳＴ１４：
ＣＰＵ１７は、図１に示す入力デバイス１５からの操作信号を基に、図２（Ｂ）に示す十字左キー２７ｂが押下されたと判断すると、ステップＳＴ１５に進み、そうでない場合はステップＳＴ１１に戻る。
ステップＳＴ１５：
ＣＰＵ１７は、表示中の選曲画面Ｄ１に対応した上層の選曲画面Ｄ１があるか否かを判断し、あると判断するとステップＳＴ１６に進み、ないと判断するとステップＳＴ１１に戻る。
ステップＳＴ１６：
ＣＰＵ１７は、表示中の選曲画面Ｄ１に対応した１つ上層の選曲画面Ｄ１をＬＣＤパネル１４に表示（遷移）する。
このとき、ＣＰＵ１７は、遷移後の選曲画面Ｄ１内の複数の分類項目のうち、遷移前の選曲画面Ｄ１に対応する分類項目にカーソルを位置（表示）させる。
【００４１】
［ＳＥＲＣＨ／ＭＥＮＵキー２８が短押しされた場合（上位２階層以上の階層に遷移する場合）の再生動作例］
図１０は、当該動作例を説明するための図である。
以下、図１０に示す各ステップを説明する。
ステップＳＴ２１：
ＣＰＵ１７は、例えば、図２に示すＳＥＲＣＨ／ＭＥＮＵキー２８が短押しされたか否かを判断し、ＳＥＲＣＨ／ＭＥＮＵキー２８が短押しされたと判断するとステップＳＴ１２に進み、そうでない場合には上記判断を繰り返す。
ステップＳＴ２２：
ＣＰＵ１７は、ＳＥＲＣＨ／ＭＥＮＵキー２８が短押しされたタイミングで、ＬＣＤパネル１４に選曲画面Ｄ１を表示中であったか否かを判断し、選曲画面Ｄ１を表示中であったと判断するとステップＳＴ２３に進み、そうでない場合にはステップＳＴ２４に進む。
【００４２】
ステップＳＴ２３：
ＣＰＵ１７は、図４および図６に示す最上位階層（第１階層）の選曲画面Ｄ１（Ｄ０１）をＬＣＤパネル１４に表示する。
このとき、ＣＰＵ１７は、上記最上位階層の選曲画面Ｄ１内の複数の分類項目のうち、前回検索で選択した分類項目（遷移前に表示された選曲画面が対応付けられた分類項目）にカーソルを位置（表示）させる。
すなわち、ＣＰＵ１７は、ＳＥＲＣＨ／ＭＥＮＵキー２８が短押しされたタイミングで表示中の検索画面に対応する階層に対して上位２階層以上の階層である第１階層の属性を特定し、当該特定した属性に規定された複数の分類項目のうち、現在検索画面を表示中の階層に対応する分類項目を特定し、第１階層の検索画面を、上記特定した分類項目を指定した状態で表示する。
例えば、図８に示すように、ＣＰＵ１７が検索画面Ｄ１１，Ｄ２１，Ｄ３１，Ｄ４１を順に表示し、検索画面Ｄ４１を表示中にＳＥＲＣＨ／ＭＥＮＵキー２８が短押しされた場合に、ＣＰＵ１７は、最上位階層の前回の検索で選択された分類項目（ジャンルＣ）にカーソルを位置させる。
【００４３】
ステップＳＴ２４：
ＣＰＵ１７は、楽曲データを再生中であるかを判断し、再生中であると判断するとステップＳＴ２５に進み、そうでない場合にはステップＳＴ２３に進む。
ステップＳＴ２５：
ＣＰＵ１７は、図４および図６に示す最上位階層（第１階層）の選曲画面Ｄ１（Ｄ０１）をＬＣＤパネル１４に表示する。
このとき、ＣＰＵ１７は、上記最上位階層の選曲画面Ｄ１内の複数の分類項目のうち、ＳＥＲＣＨ／ＭＥＮＵキー２８が短押しされたタイミングで再生中の楽曲データが属する分類項目にカーソルを位置（表示）させる。
すなわち、ＣＰＵ１７は、ＳＥＲＣＨ／ＭＥＮＵキー２８が短押しされたタイミングで表示中の再生中の楽曲データの階層である最下位階層に対して上位２階層以上の階層である第１階層の属性を特定し、当該特定した属性に規定された複数の分類項目のうち、上記最下位階層に対応する分類項目を特定し、第１階層の検索画面を、上記特定した分類項目を指定した状態で表示する。
ここで、ユーザは、通常、再生中の楽曲データと類似した属性の楽曲データを新たに検索することが多い。そのため、上述したように、遷移後の最上位階層の選曲画面Ｄ1内で、再生中の楽曲データが属する分類項目のカーソルを位置させることで、その後のユーザの検索操作を簡単にできる。
【００４４】
以上説明したように、データ処理装置１によれば、図８および図１０を用いて説明したように、ＣＰＵ１７は、楽曲データを再生中に再生画面Ｄ３をＬＣＤパネル１４に表示し、その間に、ＳＥＲＣＨ／ＭＥＮＵキー２８が短押しされたことを検出すると、最上位階層の選曲画面Ｄ１１に遷移し、当該再生中の楽曲データが属するジャンル（ジャンルＣ）にカーソルＣＵＲを位置させる。
これにより、ユーザは、現在再生している楽曲データのジャンルを特定でき、そのジャンルを基に新たに楽曲データを検索できる。
【００４５】
また、データ処理装置１によれば、図１０を用いて説明したように、選曲画面を表示中にＳＥＲＣＨ／ＭＥＮＵキー２８が短押しされると、最上位階層の検索画面の前回の検索で選択された分類項目にカーソルを位置させる。
これにより、ユーザは、これまでの検索履歴を参考にして、新たな検索を効率的に行うことができる。
【００４６】
また。データ処理装置１によれば、図９のステップＳＴ１３で説明したように、上位から下位の階層の検索画面に移動した場合に、下位階層の検索画面において、現在再生中の楽曲データが属する分類項目等にカーソルを位置させる。これにより、ユーザの操作を簡単にできる可能性が高くなる。
【００４７】
＜第２実施形態＞
本実施形態のデータ処理装置は図１に示すＣＰＵ１７ａの処理の一部を除いて第１実施形態のデータ処理装置と同じ機能を有している。
図１１は、本実施形態のデータ処理装置のＣＰＵ１７ａの処理を説明するためのフローチャートである。
ステップＳＴ３１：
ＣＰＵ１７ａは、ＨＤＤ１３から読み出した楽曲データを復号してオーディオ回路１８に出力し、再生する。
ステップＳＴ３２：
ＣＰＵ１７ａは、図４に示す再生画面Ｄ３をＬＣＤパネル１４に表示する。
【００４８】
ステップＳＴ３３：
ＣＰＵ１７ａは、入力デバイス１５を介して検索指示を入力したと判断すると、ステップＳＴ３４に進む。
ステップＳＴ３４：
ＣＰＵ１７ａは、例えば、図７に示すジャンル一覧の選曲画面Ｄ１１を表示する。
【００４９】
ステップＳＴ３５：
ＣＰＵ１７ａは、選曲画面Ｄ１１において、現在再生中の楽曲データのジャンルの上にカーソルを表示する。
【００５０】
ステップＳＴ３６：
ＣＰＵ１７ａは、入力デバイス１５を介して、検索の属性変更指示を入力したと判断するとステップＳＴ３７に進む。
ステップＳＴ３７：
ＣＰＵ１７ａは、例えば、図７に示すジャンル一覧の選曲画面Ｄ１１から、アーティスト一覧の選曲画面Ｄ１２を切り換えてＬＣＤパネル１４に表示する。
このとき、ＣＰＵ１７ａは、切り換え後の選曲画面Ｄ１２において、現在再生中の楽曲データのアーティストの上にカーソルを表示する。
ステップＳＴ３８：
ＣＰＵ１７ａは、入力デバイス１５を介して新たなコンテンツが選択されると、ステップＳＴ３１に戻る。
【００５１】
なお、ＣＰＵ１７ａは、検索画面を表示中に、再生中のコンテンツデータが切り換わった場合に、検索画面上のカーソルの位置も、再生中のコンテンツデータに応じて切り換える。
【００５２】
以上説明したように、本実施形態によれば、検索画面上において、常に再生中のコンテンツデータに対応した分類項目上にカーソルが位置する。ここで、ユーザは、再生中のコンテンツデータと同じ分類項目内で検索を行うことが多いため、その後、ユーザの操作を簡単にできる。
【００５３】
本発明は上述した実施形態には限定されない。
上述した実施形態では、ＳＥＲＣＨ／ＭＥＮＵキー２８を、短押しにより第１階層の選曲画面Ｄ１を表示する指示を入力ために用い、長押しによりメニュー画面を表示する指示を入力するために用いたが、それ以外の方法、例えば、データ処理装置１の動作状態などに応じて、ＳＥＲＣＨ／ＭＥＮＵキー２８の機能を切り替えてもよい。
【００５４】
また、上述した実施形態では、本発明の上位２階層以上の階層として第１の階層を例示したが、本発明は、第２の階層以下の階層であってもよい。
【００５５】
また、上述した実施形態では、本発明を携帯型のオーディオ再生装置に適用した場合を例示したが、本発明はパーソナルコンピュータなどの携帯型以外の装置にも適用可能である。
また、上述した実施形態では、本発明のコンテンツデータとして、楽曲データなどのオーディオデータを例示したが、ビデオや写真などのイメージデータでもよい。
また、本発明において、コンテンツデータを記憶する記録手段として、図１に示すＨＤＤ１３の代わりに、ＭＤ（商標）などの光磁気記録媒体、ＣＤ−Ｒ(CD-recordable)やＤＶＤ−Ｒ(DVD-recordable) などの光記録媒体）、メモリースティック（商標）やＳＤカード（商標）などの半導体メモリなどを用いてもよい。
また、上述した実施形態では、データ処理装置１として携帯型のオーディオ再生装置を例示したが、データ処理装置１は、例えば、パーソナルコンピュータ、コンパクトディスクなどの光ディスク再生装置、光磁気ディスク再生装置などであってもよい。
また、本実施形態で説明したＬＣＤパネル１４に表示する選曲画面等は、例えば、ヘッドフォンのラインに接続されるリモートコントローラのディスプレイに表示してもよい。
【産業上の利用可能性】
【００５６】
本発明は、コンテンツデータの検索画面を表示する電子機器に適用可能である。
【図面の簡単な説明】
【００５７】
【図１】図１は、本発明の実施形態に係わるデータ処理装置の構成図である。
【図２】図２は、図１に示すデータ処理装置の外観を説明するための図である。
【図３】図３は、図１に示すＬＣＤパネルの画面遷移を説明するための図である。
【図４】図４は、図１にＬＣＤパネルに表示される各種の画面を説明するための図である。
【図５】図５は、図１に示すＬＣＤパネルに表示される選曲画面の階層構造を説明するための図である。
【図６】図６は、図１に示すＬＣＤパネルに表示される選曲画面の遷移を説明するための図である。
【図７】図７は、図１に示すＬＣＤパネルに表示される選曲画面の遷移を説明するための図である。
【図８】図８は、図１に示すデータ処理装置でＳＥＲＣＨ／ＭＥＮＵキーが短押しされた場合の画面遷移を説明するための図である。
【図９】図９は、図１に示すデータ処理装置で選曲画面をその階層構造に従って上下する場合の動作例を説明するためのフローチャートである。
【図１０】図１０は、図１に示すデータ処理装置において、ＳＥＲＣＨ／ＭＥＮＵキーが短押しされた場合の動作例を説明するためのフローチャートである。
【図１１】図１１は、本発明の第２実施形態のデータ処理装置の処理を説明するためのフローチャートである。
【符号の説明】
【００５８】
１…データ処理装置、１０…ＨＤＡ、１１…ＵＳＢインタフェース、１２…ＳＤＲＡＭ、１３…ＨＤＤ、１４…ＬＣＤパネル、１５…入力デバイス、１６…フラッシュメモリ、１７，１７ａ…ＣＰＵ、ＰＲＧ…プログラム、１８…オーディオ出力回路、２１…ヘッドフォン端子、２５…ＭＯＤＥキー、２６…ＶＯＬＵＭキー、２７…十字キー、２７ａ…十字右キー、２７ｂ…十字左キー、２７ｃ…十字上キー、２７ｄ…十字下キー、２７ｅ…十字決定キー、２８…ＳＥＲＣＨ／ＭＥＮＵキー、３０…ＨＯＬＤキー
【図１】
2006285895.tif 000003
【図２】
2006285895.tif 000004
【図３】
2006285895.tif 000005
【図４】
2006285895.tif 000006
【図５】
2006285895.tif 000007
【図６】
2006285895.tif 000008
【図７】
2006285895.tif 000009
【図８】
2006285895.tif 000010
【図９】
2006285895.tif 000011
【図１０】
2006285895.tif 000012
【図１１】
2006285895.tif 000013